(57)【要約】      （修正有）【課題】老人向体力の低下を補助し、また足腰の痛みを緩和させ、生活の一部を快適に送ってもらえる様に車輪付、屋内外キャリーカー兼用折りたたみ式椅子を提供する。【解決手段】本体、座の部分前側を支点にし水平より後部を４５度上にし、座の後部下にエアーシリンダーを取り付け腰をかける事により座に重力がかかり、４５度上から下に降りる力をエアーシリンダー圧縮反発力を利用し足腰にかかる力を補助する。負担を軽く座り立ちを楽に行え、シリンダーの上部と座の取り付け部は、折ピンをさしこむだけで取り外しが簡単に出来、通常の椅子としても利用できるようにした。【選択図】図１
0003157364.tif 000002
【実用新案登録請求の範囲】
クッションチェアカーは、老人向体力の低下を補助し、また足腰の痛みを緩和させ、限りある生活の一部を快適に送ってもらえる要に車輪付、屋内外キャリーカー兼用折りたたみ式椅子であり、
（１）本体、座の部分前側を支点にし水平より後部を４５度上にし座の後部下にエアーシリンダーを取り付け腰をかける事により座に重力がかかり４５度上から下に降りる力をエアーシリンダー圧縮反発力を利用し足腰にかかる力を補助、負担を軽く座り立ちを楽に行え、シリンダーの上部と座の取り付け部は、折ピンをさしこむだけで取り外しが簡単に出来、通常の椅子としても利用できるようにし、（２）椅子の前後脚部４箇所にゴム車輪を設けており椅子として利用する場合、椅子４本の脚が床面に固定するよう後部車輪につては後回転しないよう後部左右のゴム車輪の内側に歯車を取付、ゴム車輪の回転を停めるため歯車の溝に爪形の回転止めが嵌り、前回転では爪が溝から外れ後回転時は爪が溝に入り回転を止め椅子が後ろに動かないようにし、
（３）椅子の前脚とゴム車輪は独立しており、ゴム車輪は前脚が床面より１０ｍｍ上がった位置で蝶番で取り付け前側上に４５度動くよう後側には０度でスプリングで固定し椅子本体の重量にプラス１ｋｇの重量が加われば車輪が前に上がり前脚が床面に着き座る行動と略同時に４脚が固定されるようにし、
（４）椅子の背もたれ取付部、本体パイプ枠の上部を上げるか、手前に引く事により椅子本体が折りたためる様にし、後脚左右ゴム車輪の間に前後方向をＲ形にした棚を設け重量、約１５ｋｇまでの荷物がのせられキャリーカーとして利用でき折りたたみ式なので収納時の際も場所をとらず、歩行の補助車としても利用可能にしたのが、以上からなる、クッションチェアカー。、
【考案の詳細な説明】
クッションチェアカー、本体鉄製軽量パイプ外径１７ｍｍを使用。外枠（図１−Ａ）に内枠（図１−Ｂ）をＸ形に組み交さ部（図１−Ｃ）をリベットで留め交さ部を支点に外枠と内枠が動き外、内枠下部は蝶番（図１−Ｄ）でつなぎ折りたたみ式で外枠の前脚両先端部には、スベリ停めゴムキャプ（図１−Ｅ）を取付、この前脚左右をつなぐ補強パイプの両サイドに直径４０ｍｍゴム車輪（図１−Ｆ）をゴムキャプ取り付けた前脚が床面より１０ｍｍ浮いた位置スプリング（図１−Ｇ）で取付、椅子に重力がかかると前方上に動きゴムキャプを取り付けた前脚が床面に固定される。前脚左右をつなぐ補強パイプ中心部にエアーシリンダー直径２０ｍｍ＝１２ｍｍ長さ４００ｍｍ（図１−Ｈ）の下部を取付、外枠後方上には縦１３０ｍｍ横３００ｍｍ楕円形背もたれ（図１−Ｉ）を垂直より１０度傾け設置した外枠と、内枠前方上に縦２７０ｍｍ横３２０ｍｍの半楕円形、座（図１−Ｊ）を設け座の両サイドに座り立ち補助用に鉄製パイプ直径１０ｍｍの、取っ手（図１−Ｋ）を設け、座の後部下にエアーシリンダー上部を折ピン（図１−Ｌ）を差し込めばクション用の座、外せば通常の座として使用可能にし、内枠の後部下にゴム車輪外径７０ｍｍ（図１−Ｍ）を両サイドに設けゴム車輪の内側に外径６０ｍｍ（図１−Ｎ）の歯車を設け椅子使用時に後部脚が安定するようゴム車輪の回転を留められるよう前回転では歯車の溝に爪形（図１−Ｏ）の回転止めが前回転では溝から外れ後回転時は爪が溝に嵌り、回転をとめ椅子が後部に動かないようし、また内枠後部ゴム車輪部の左右をつなぐ補強パイプに幅２５０ｍｍ、奥行き２６０ｍｍ奥行き方向のみ１００Ｒに曲げた（図１−Ｐ）棚を設け約１５ｋｇ弱の荷物を積むことが出来る。椅子使用時寸法、高さ８５０ｍｍ、幅４４０ｍｍ、奥行き５００ｍｍ折りたたみ収納時、又キャリーカー専用時奥行き３００ｍｍで歩行補助車兼キャリーカーとし使用可能であるクッションチェアカー。
【図１】
0003157364.tif 000003
【図２】
0003157364.tif 000004
【図３】
0003157364.tif 000005
【手続補正書】
【提出日】平成21年9月30日(2009.9.30)
【手続補正１】
【補正対象書類名】明細書
【補正対象項目名】全文
【補正方法】変更
【補正の内容】
【考案の詳細な説明】
（図面の簡単な説明含む）
クッションチェアカーは、本体鉄製軽量パイプ外径１７ｍｍを使用。外枠（図１−Ａ）に内枠（図１−Ｂ）をＸ形に組み交さ部（図１−Ｃ）をリベットで留め交さ部を支点に外枠と内枠が動き外、内枠下部は蝶番（図１−Ｄ）でつなぎ折りたたみ式で外枠の前脚両先端部には、スベリ停めゴムキャプ（図１−Ｅ）を取付、この前脚左右をつなぐ補強パイプの両サイドに直径４０ｍｍゴム車輪（図１−Ｆ）をゴムキャプ取り付けた前脚が床面より１０ｍｍ浮いた位置スプリング（図１−Ｇ）で取付、椅子に重力がかかると前方上に動きゴムキャプを取り付けた前脚が床面に固定される。前脚左右をつなぐ補強パイプ中心部にエアーシリンダー直径２０ｍｍ＝１２ｍｍ長さ４００ｍｍ（図１−Ｈ）の下部を取付、外枠後方上には縦１３０ｍｍ横３００ｍｍ楕円形背もたれ（図１−Ｉ）を垂直より１０度傾け設置した外枠と、内枠前方上に縦２７０ｍｍ横３２０ｍｍの半楕円形、座（図１−Ｊ）を設け座の両サイドに座り立ち補助用に鉄製パイプ直径１０ｍｍの、取っ手（図１−Ｋ）を設け、座の後部下にエアーシリンダー上部を折ピン（図１−Ｌ）を差し込めばクション用の座、外せば通常の座として使用可能にし、内枠の後部下にゴム車輪外径７０ｍｍ（図１−Ｍ）を両サイドに設けゴム車輪の内側に外径６０ｍｍ（図１−Ｎ）の歯車を設け椅子使用時に後部脚が安定するようゴム車輪の回転を留められるよう前回転では歯車の溝に爪形（図１−Ｏ）の回転止めが前回転では溝から外れ後回転時は爪が溝に嵌り、回転をとめ椅子が後部に動かないようし、また内枠後部ゴム車輪部の左右をつなぐ補強パイプに幅２５０ｍｍ、奥行き２６０ｍｍ奥行き方向のみ１００Ｒに曲げた（図１−Ｐ）棚を設け約１５ｋｇ弱の荷物を積むことが出来る。椅子使用時寸法、高さ８５０ｍｍ、幅４４０ｍｍ、奥行き５００ｍｍ折りたたみ収納時、又キャリーカー専用時奥行き３００ｍｍで歩行補助車兼キャリーカーとし使用可能であるクッションチェアカー。
【手続補正２】
【補正対象書類名】実用新案登録請求の範囲
【補正対象項目名】全文
【補正方法】変更
【補正の内容】
【実用新案登録請求の範囲】
【請求項１】
クッションチェアカーは、老人向体力の低下を補助し、また足腰の痛みを緩和させ、限りある生活の一部を快適に送ってもらえる要に車輪付、屋内外キャリーカー兼用折りたたみ式椅子であり、
（１）本体、座の部分前側を支点にし水平より後部を４５度上にし座の後部下にエアーシリンダーを取り付け腰をかける事により座に重力がかかり４５度上から下に降りる力をエアーシリンダー圧縮反発力を利用し足腰にかかる力を補助、負担を軽く座り立ちを楽に行え、シリンダーの上部と座の取り付け部は、折ピンをさしこむだけで取り外しが簡単に出来、通常の椅子としても利用できるようにし、（２）椅子の前後脚部４箇所にゴム車輪を設けており椅子として利用する場合、椅子４本の脚が床面に固定するよう後部車輪につては後回転しないよう後部左右のゴム車輪の内側に歯車を取付、ゴム車輪の回転を停めるため歯車の溝に爪形の回転止めが嵌り、前回転では爪が溝から外れ後回転時は爪が溝に入り回転を止め椅子が後ろに動かないようにし、
（３）椅子の前脚とゴム車輪は独立しており、ゴム車輪は前脚が床面より１０ｍｍ上がった位置で蝶番で取り付け前側上に４５度動くよう後側には０度でスプリングで固定し椅子本体の重量にプラス１ｋｇの重量が加われば車輪が前に上がり前脚が床面に着き座る行動と略同時に４脚が固定されるようにし、
（４）椅子の背もたれ取付部、本体パイプ枠の上部を上げるか、手前に引く事により椅子本体が折りたためる様にし、後脚左右ゴム車輪の間に前後方向をＲ形にした棚を設け重量、約１５ｋｇまでの荷物がのせられキャリーカーとして利用でき折りたたみ式なので収納時の際も場所をとらず、歩行の補助車としても利用可能にしたのが、以上からなる、クッションチェアカー。
【手続補正書】
【提出日】平成21年12月15日(2009.12.15)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】クッションチェアカーは、本体鉄製軽量パイプ外径１７ｍｍを使用。外枠に内枠をＸ形に組み交さ部をリべットで留め交さ部を支点に外枠と内枠が動き外、内枠下部は蝶番でつなぎ折りたたみ式で外枠の前脚両先端部には、スベリ停めゴムキャプを取付、この前脚左右をつなぐ補強パイプの両サイドに直径４０ｍｍゴム車輪を、ゴムキャプ取り付けた前脚が床面より１０ｍｍ浮いた位置でスプリングで固定取付、椅子に重力がかかるとスプリングが伸び前方上にゴム車輪が動き、ゴムキャプを取り付けた前脚が床面に固定される。前脚左右をつなぐ補強パイプ中心部にエアーシリンダー直径２０ｍｍ＝１２ｍｍ長さ４００ｍｍの下部に取付、外枠後方上には縦１３０ｍｍ横３００ｍｍ楕円形背もたれを垂直より１０度傾け設置し内枠前方上に縦２７０ｍｍ横３２０ｍｍの半楕円形、座を設け座の両サイドに座り立ち補助用に鉄製パイプ直径１０ｍｍの、取っ手を設け、座の後部下にエアーシリンダー上部を折ピンを差し込めばクション用の座、外せば通常の座として使用可能にし、内枠の後部下にゴム車輪外径７０ｍｍを両サイドに設けゴム車輪の内側に外径６０ｍｍの歯車を取付け椅子使用時に後部脚が安定するようゴム車輪の回転を留められるよう前回転では歯車の溝に爪形の回転止めが前回転では溝から外れ後回転時は爪が溝に嵌り、回転をとめ椅子が後部に動かないようし、また内枠後部ゴム車輪部の左右をつなぐ補強パイプに幅２５０ｍｍ、奥行き２６０ｍｍ奥行き方向のみ１００Ｒに曲げた棚を設け約１５ｋｇ弱の荷物を積むことが出来る。椅子使用時寸法、高さ８５０ｍｍ、幅４４０ｍｍ、奥行き５００ｍｍ折りたたみ収納時、又キャリーカー専用時奥行き３００ｍｍで歩行補助車兼キャリーカーとし使用可能である
【図面の簡単な説明】
【図１】クッションチェアカー本体（図１−Ａ）外枠で（図１−Ｂ）が内枠、両枠をＸ型に（図１−Ｃ）リベットで組む。外枠と内枠を（図１−Ｄ）蝶番で繋ぐ。（図１−Ｈ）エアーシリンダーを座の下部に取り付け（図１−Ｌ）折れピンを差し入れする事により通常の椅子としてのりようできる。（図１−Ｊ）座の両サイドに（図１−Ｋ）取っ手。（図１−Ｉ）は背もたれ。（図１−Ｐ）荷物棚はキャリーカー及び椅子時も約１５ｋｇの荷物を積む事ができる。
【図２】前脚先端部に（図２−Ｅ）スベリ停めゴムキャプ取付。（図２−Ｆ）４０丸ゴム車輪、前方うえに動くよう（図２−Ｇ）スプリング固定。
【図３】（図３−Ｍ）７０丸ゴム車輪に（図３−Ｎ）歯車を合体（図３−Ｏ）爪形ストッパーが前回転で歯車の溝から外れ前方向に回り、後回転時みぞにストッパーが嵌り後回転しない。